(57)【要約】【課題】コンセント回路の連続開閉による装置と負荷の故障を防止することができるコンセント回路の自動復帰装置を提供する。【解決手段】コンセント回路２，３の通電電流を変流器５によって検出して過負荷検出回路６から出力した電流値と予め設定した電流上限値とを比較回路７により比較し、検出電流値が電流上限値を超えた場合に比較回路７からサイリスタ駆動回路８に信号を出力し、サイリスタ駆動回路８の出力によりリレー駆動回路９がリレー１１を駆動させて流動的な負荷が接続されたコンセント回路３を遮断する。コンセント回路３が遮断している間に負荷の電源をオフしなかった場合や負荷の電源をオフしても過負荷が解消されない場合は、連続開閉防止回路がサイリスタリセット回路の動作をできなくするため、リレー１１がオンし続け、流動的な負荷が接続されたコンセント回路の遮断に自己保持がかかる。【選択図】　　　　図１
2004104881.tif 000002
【特許請求の範囲】
【請求項１】
複数のコンセント回路の通電電流を監視し、前記コンセント回路を接続したブレーカが過負荷によって遮断する前に固定設置された負荷が接続されたコンセント回路は遮断せずに流動的な負荷が接続されたコンセント回路を遮断し、負荷の電源を手動でオフするための時間が経過した後に前記流動的な負荷が接続されたコンセント回路を自動復帰させる自動復帰装置において、過負荷によって前記流動的な負荷が接続されたコンセント回路が遮断した際に負荷の電源をオフしなかった場合や負荷の電源をオフしても過負荷が解消されない場合、前記流動的な負荷が接続されたコンセント回路の遮断に自己保持がかかるようにしたことを特徴とするコンセント回路の自動復帰装置。
【請求項２】
前記コンセント回路の遮断によって作動するタイマーを備え、該タイマーが作動中は前記コンセント回路の遮断に自己保持がかからないようにしたことを特徴とする請求項１に記載のコンセント回路の自動復帰装置。
【発明の詳細な説明】
【０００１】
【発明の属する技術分野】
本発明は、ブレーカが過負荷で遮断する前にコンセント回路を遮断し、一定時間後にコンセント回路を復帰させる自動復帰装置に関する。
【０００２】
【従来の技術】
従来、複数のコンセント回路の通電電流を監視し、これらのコンセント回路を接続したブレーカが過負荷によって遮断する前に固定設置された負荷が接続されたコンセント回路は遮断せずに流動的な負荷が接続されたコンセント回路を遮断し、負荷の電源を手動でオフするための時間が経過した後に流動的な負荷が接続されたコンセント回路を自動復帰させる自動復帰装置はなかった。
【０００３】
【発明が解決しようとする課題】
自動復帰装置は、負荷の電源を手動でオフするための時間が経過すると流動的な負荷が接続されたコンセント回路を自動復帰させるが、コンセント回路が遮断している間に負荷の電源をオフしなかった場合や負荷の電源をオフしても過負荷が解消されない場合は、過負荷が解消されるまでコンセント回路の開閉を繰り返す。これにより、装置が故障したり負荷が故障する虞があった。
【０００４】
そこで上記問題点に鑑み、本発明の目的は、コンセント回路の連続開閉による装置と負荷の故障を防止することができるコンセント回路の自動復帰装置を提供することである。
【０００５】
【課題を解決するための手段】
上記目的を達成するために、請求項１に記載の発明によれば、複数のコンセント回路の通電電流を監視し、コンセント回路を接続したブレーカが過負荷によって遮断する前に固定設置された負荷が接続されたコンセント回路は遮断せずに流動的な負荷が接続されたコンセント回路を遮断し、負荷の電源を手動でオフするための時間が経過した後に流動的な負荷が接続されたコンセント回路を自動復帰させる自動復帰装置において、過負荷によって流動的な負荷が接続されたコンセント回路が遮断した際に負荷の電源をオフしなかった場合や負荷の電源をオフしても過負荷が解消されない場合、流動的な負荷が接続されたコンセント回路の遮断に自己保持がかかるようにしたことを特徴とする。
【０００６】
請求項２に記載の発明によれば、請求項１に記載のコンセント回路の自動復帰装置において、コンセント回路の遮断によって作動するタイマーを備え、タイマーが作動中はコンセント回路の遮断に自己保持がかからないようにしたことを特徴とする。
【０００７】
【発明の実施の形態】
請求項１に記載の発明によれば、複数のコンセント回路の通電電流を監視し、コンセント回路を接続したブレーカが過負荷によって遮断する前に固定設置された負荷が接続されたコンセント回路は遮断せずに流動的な負荷が接続されたコンセント回路を遮断し、負荷の電源を手動でオフするための時間が経過した後に流動的な負荷が接続されたコンセント回路を自動復帰させる自動復帰装置において、過負荷によって流動的な負荷が接続されたコンセント回路が遮断した際に負荷の電源をオフしなかった場合や負荷の電源をオフしても過負荷が解消されない場合、流動的な負荷が接続されたコンセント回路の遮断に自己保持がかかるようにしたことにより、コンセント回路の連続開閉による装置と負荷の故障を防止することができる。
【０００８】
請求項２に記載の発明によれば、請求項１に記載のコンセント回路の自動復帰装置において、コンセント回路の遮断によって作動するタイマーを備え、タイマーが作動中はコンセント回路の遮断に自己保持がかからないようにしたことにより、負荷の電源を手動でオフにするための時間を長くすることができ、余裕を持って負荷の電源をオフさせることができる。
【０００９】
【実施例】
本発明に係るコンセント回路の自動復帰装置の第１実施例を図１〜図３の添付図面に基づいて説明する。
【００１０】
コンセント回路には、例えば、冷蔵庫、洗濯機、電子レンジ、パソコンやオーディオ等のように電源プラグの抜き差しを行わない固定設置された負荷が接続されたコンセント回路２と、例えば、アイロン、掃除機、ドライヤーやゲーム機等のように電源プラグの抜き差しを頻繁に行う流動的な負荷が接続されたコンセント回路３がある。
【００１１】
自動復帰装置１は、これらのコンセント回路２，３の通電電流を検出する変流器５と、変流器５の検出電流を比較回路７に出力する過負荷検出回路６と、過負荷検出回路６から出力された電流値と予め設定された電流上限値とを比較し過負荷検出回路６から出力された電流値が電流上限値を超えた場合に信号を出力する比較回路７と、比較回路７の出力により動作するサイリスタ駆動回路８と、サイリスタ駆動回路８の出力により動作するリレー駆動回路９と、リレー駆動回路９の動作により流動的な負荷が接続されたコンセント回路３を遮断するリレー１１と、リレー駆動回路９のサイリスタ１０をリセットするサイリスタリセット回路１２と、リレー１１の連続開閉を防止するための連続開閉防止回路１３と、これらの回路に電源を供給する電源回路１４とで構成している。
【００１２】
コンセント回路２，３の使用電流が大きく、過負荷検出回路６から出力された変流器５の検出電流値が比較回路７によって電流上限値を超えたと判断されるとサイリスタ駆動回路８から信号を出力し、リレー駆動回路９のサイリスタ１０をオンしてリレー１１を駆動させ、コンセント回路２，３を接続したブレーカ４が過負荷によって遮断する前に流動的な負荷が接続されたコンセント回路３を遮断する。
【００１３】
また同時にサイリスタリセット回路１２のフォトサイリスタ１５と連続開閉防止回路１３のフォトカプラ１６がオンする。フォトサイリスタ１５のオンによりワンショットパルス出力回路１７からワンショットパルスが出力され、トランジスタ１８をオンする。それから、トランジスタ１８のオンによりサイリスタ１０がオフする。ワンショットパルスは１０秒程度出力され、この間、トランジスタ１８がオンしている。リレー１１はトランジスタ１８がオンしている間だけ駆動し、リレー１１の駆動により流動的な負荷が接続されたコンセント回路３を遮断させている間に不必要な負荷の電源を手動でオフして使用電力量を低下させる。
【００１４】
ワンショットパルス回路１７の出力が停止するとトランジスタ１８がオフする。また、サイリスタ１０もオフしているためリレー１１がオフし、流動的な負荷が接続されたコンセント回路３が復帰する。
【００１５】
トランジスタ１８のオフにより連続開閉防止回路１３のフォトカプラ１６もオフする。これにより時限回路１９が動作し、所定時間遅延されてワンショットパルス出力回路２０がワンショットパルスを出力し、トランジスタ２１がオンし、サイリスタリセット回路１２のフォトサイリスタ１５がオフしてリセットされる。このワンショットパルス出力回路２０から出力されるワンショットパルスはサイリスタリセット回路１２のワンショットパルス出力回路１７から出力されるワンショットパルスが出力し終わった後に出力されるため、サイリスタ１０がリセットされた後でフォトサイリスタ１５がリセットされる。
【００１６】
このため、コンセント回路３が遮断している間に負荷の電源をオフしなかった場合や負荷の電源をオフしても過負荷が解消されない場合は、コンセント回路３が復帰した際に再びサイリスタ１０がオンしてリレー１１がオンし、流動的な負荷が接続されたコンセント回路３を遮断させるが、その時点ではフォトサイリスタ１５がリセットされていないのでサイリスタリセット回路１２が動作せず、そのため、サイリスタ１０がオフしなくなってリレー１１がオフしないので流動的な負荷が接続されたコンセント回路３の遮断に自己保持がかかる。
【００１７】
これによってコンセント回路３が連続的に開閉しないので装置１と負荷の故障を防止することができる。
【００１８】
コンセント回路３の遮断の自己保持はリセットボタン２２を押してサイリスタリセット回路１２のフォトサイリスタ１５をリセットすることにより解除できる。
【００１９】
尚、自動復帰装置１はブレーカ４とコンセント回路２，３の間に設けられるが、ブレーカ４を内蔵した分電盤２３の内部に設置しても良いし、コンセント回路２，３の近傍に設置しても良い。
【００２０】
本発明に係るコンセント回路の自動復帰装置の第２実施例を図４及び図５の添付図面に基づいて説明する。尚、第１実施例と同一部分には同一符号を付して説明を省略する。
【００２１】
この自動復帰装置３１は、サイリスタリセット回路１２のフォトサイリスタ１５に代わってフォトカプラ３２が使用され、連続開閉防止回路１３の回路が変更してタイマー３３が備えられている。
【００２２】
コンセント回路２，３の使用電流が大きく、過負荷検出回路６から出力された変流器５の検出電流値が比較回路７によって電流上限値を超えたと判断されるとサイリスタ駆動回路８から信号を出力し、リレー駆動回路９のサイリスタ１０をオンしてリレー１１を駆動させ、ブレーカ４が過負荷によって遮断する前に流動的な負荷が接続されたコンセント回路３を遮断する。
【００２３】
また同時にサイリスタリセット回路１２のフォトカプラ３２と連続開閉防止回路１３のフォトサイリスタ３４がオンする。フォトサイリスタ３４のオンによりタイマー３３が作動し、フォトカプラ３２のオンによりワンショットパルス出力回路１７からワンショットパルスが出力され、トランジスタ１８をオンする。それから、トランジスタ１８のオンによりサイリスタ１０がオフする。ワンショットパルスは１０秒程度出力され、この間、トランジスタ１８がオンしている。リレー１１はトランジスタ１８がオンしている間だけ駆動し、リレー１１の駆動により流動的な負荷が接続されたコンセント回路３を遮断させている間に不必要な負荷の電源を手動でオフして使用電力量を低下させる。
【００２４】
ワンショットパルス回路１７の出力が停止するとトランジスタ１８がオフする。この時、サイリスタ１０もオフしているためリレー１１がオフし、流動的な負荷が接続されたコンセント回路３が復帰する。また、トランジスタ１８のオフによりサイリスタリセット回路１２のフォトカプラ３２もオフしてリセットされる。また、所定時間経過してタイマー３３が停止すると、タイマー３３からの出力によりトランジスタ３５をオンし、連続開閉防止回路１３のフォトサイリスタ３４をリセットする。
【００２５】
また、コンセント回路３が遮断している間に負荷の電源を１回オフさせるとワンショットパルス出力回路１２の出力が停止後、連続開閉防止回路１３の時限回路３６の出力は「Ｈ」になり、タイマー３３が作動中に再び負荷の電源をオンさせると時限回路３６の出力は「Ｌ」になり、タイマー３３には「Ｈ」→「Ｌ」の信号が入力される。これにより、タイマー３３はトランジスタ３５をオンし、連続開閉防止回路１３のフォトサイリスタ３４をリセットして再びタイマー３３を初めから作動させるようになっている。
【００２６】
コンセント回路３が遮断している間に負荷の電源をオフしなかった場合や負荷の電源をオフしても過負荷が解消されない場合はコンセント回路３が復帰した際に再び上記の動作を行い、過負荷が解消されるまで繰り返す。
【００２７】
そして、タイマー３３が停止した時点でも過負荷が解消されていない場合は、サイリスタ１０がオンしてサイリスタリセット回路１２のフォトカプラ３２がオンしているとＮＡＮＤ回路３７にＨ信号が出力される。更に連続開閉防止回路１３の時限回路３６のコンデンサ３８はリレー１１が開閉を繰り返していると充分に充電がされないので、時限回路３６の出力は「Ｌ」になり、ＮＯＴ回路３９を介してＮＡＮＤ回路３７にＨ信号が出力される。また、タイマー３３が停止中はタイマー３３からＮＡＮＤ回路３７にＨ信号が出力されるため、ＮＡＮＤ回路３７はＬ信号を出力し、続いてＮＯＴ回路４０がＨ信号を出力するため、自己保持用のサイリスタ４１がオンしてリレー１１のオンに自己保持がかかり、流動的な負荷が接続されたコンセント回路３の遮断に自己保持がかかる。尚、タイマー３３が作動中はタイマー３３からＮＡＮＤ回路３７にＬ信号が出力されているため、自己保持はかからない。
【００２８】
これによってコンセント回路３が連続的に開閉しないので装置１と負荷の故障を防止することができる。
【００２９】
コンセント回路３の遮断の自己保持はリセットボタン２２を押してサイリスタ１２をリセットすることにより解除できる。
【００３０】
【発明の効果】
以上説明したように、請求項１に記載の発明によれば、複数のコンセント回路の通電電流を監視し、コンセント回路を接続したブレーカが過負荷によって遮断する前に固定設置された負荷が接続されたコンセント回路は遮断せずに流動的な負荷が接続されたコンセント回路を遮断し、負荷の電源を手動でオフするための時間が経過した後に流動的な負荷が接続されたコンセント回路を自動復帰させる自動復帰装置において、過負荷によって流動的な負荷が接続されたコンセント回路が遮断した際に負荷の電源をオフしなかった場合や負荷の電源をオフしても過負荷が解消されない場合、流動的な負荷が接続されたコンセント回路の遮断に自己保持がかかるようにしたことにより、コンセント回路の連続開閉による装置と負荷の故障を防止することができるという効果がある。
【００３１】
請求項２に記載の発明によれば、請求項１に記載のコンセント回路の自動復帰装置において、コンセント回路の遮断によって作動するタイマーを備え、タイマーが作動中はコンセント回路の遮断に自己保持がかからないようにしたことにより、負荷の電源を手動でオフにするための時間を長くすることができ、余裕を持って負荷の電源をオフさせることができるという効果がある。
【図面の簡単な説明】
【図１】本発明の第１実施例に係る自動復帰装置のブロック図である。
【図２】本発明の第１実施例に係る自動復帰装置の回路図である。
【図３】本発明の第１実施例に係る自動復帰装置を設置する図を示し、（ａ）は自動復帰装置を分電盤内に設置した図、（ｂ）は自動復帰装置をコンセント回路の近くに設置した図である。
【図４】本発明の第２実施例に係る自動復帰装置のブロック図である。
【図５】本発明の第２実施例に係る自動復帰装置の回路図である。
【符号の説明】
１…自動復帰装置
２…固定設置された負荷が接続されたコンセント回路
３…流動的な負荷が接続されたコンセント回路
５…変流器
６…過負荷検出回路
７…比較回路
８…サイリスタ駆動回路
９…リレー駆動回路
１１…リレー
１２…サイリスタリセット回路
１３…連続開閉防止回路
１４…電源回路
２２…リセットボタン
【図１】
2004104881.tif 000003
【図２】
2004104881.tif 000004
【図３】
2004104881.tif 000005
【図４】
2004104881.tif 000006
【図５】
2004104881.tif 000007